(57)【要約】【課題】アナログデジタル変換部を通信システムごとに備える必要があるので、消費電力を減少させることができないことを課題とする。【解決手段】複数の無線信号を無線信号ごとに異なる周波数帯に周波数変換して、無線信号に含まれている情報をそれぞれ復調するための信号を無線信号ごとに生成し、生成された各信号を重ね合わせて、周波数帯が異なる各信号により構成された合成信号を生成し、生成された合成信号をデジタル信号に変換し、デジタル信号に変換された合成信号を周波数帯ごとに区分して、区分された各信号を低周波にそれぞれ変換する。【選択図】        図１
2009049605.tif 000002
【特許請求の範囲】
【請求項１】
周波数帯が異なる複数の無線信号を同時に受信して、当該無線信号にそれぞれ含まれている情報を同時に復調する受信装置であって、
前記複数の無線信号を当該無線信号ごとに異なる周波数帯に周波数変換して、当該無線信号に含まれている情報をそれぞれ復調するための信号を当該無線信号ごとに生成する信号生成部と、
前記信号生成部により生成された各信号を重ね合わせて、周波数帯が異なる各信号により構成された合成信号を生成する合成信号生成部と、
前記合成信号生成部により生成された合成信号をデジタル信号に変換するデジタル変換部と、
を備えたことを特徴とする受信装置。
【請求項２】
前記信号生成部は、周波数帯が異なる２つの無線信号を受信した場合に、一方の無線信号をゼロＩＦ方式によって周波数変換した後に、所定の周波数未満の周波数帯の信号を切り出すための第一のフィルタを通過させて前記信号を生成し、他方の無線信号を低ＩＦ方式によって周波数変換した後に、所定の周波数以上の周波数帯の信号を切り出すための第二のフィルタを通過させて前記信号を生成することを特徴とする請求項１に記載の受信装置。
【請求項３】
前記信号生成部は、周波数帯が異なる２つの無線信号を受信した場合に、一方の無線信号を低ＩＦ方式によって周波数変換した後に、所定の周波数帯を切り出す第一のフィルタを通過させて前記信号を生成し、他方の無線信号を低ＩＦ方式によって周波数変換した後に、前記所定の周波数帯とは異なる周波数帯の信号を切り出すための第二のフィルタを通過させて前記信号を生成することを特徴とする請求項１に記載の受信装置。
【請求項４】
前記複数の無線信号の各強度を測定する測定手段をさらに備え、
前記信号生成部は、前記複数の無線信号の中で前記測定手段によって測定された強度の高い無線信号について前記信号を生成することを特徴とする請求項１に記載の受信装置。
【請求項５】
前記デジタル変換部によりデジタル信号に変換された合成信号を周波数帯ごとに区分して、当該区分された各信号を低周波にそれぞれ変換する周波数変換部をさらに備えたことを特徴とする請求項１〜４のいずれか１つに記載の受信装置。
【請求項６】
周波数帯が異なる複数の無線信号を同時に受信して、当該無線信号にそれぞれ含まれている情報を同時に復調する受信装置における処理をコンピュータに実行させる受信プログラムであって、
前記複数の無線信号を当該無線信号ごとに異なる周波数帯に周波数変換して、当該無線信号に含まれている情報をそれぞれ復調するための信号を当該無線信号ごとに生成する信号生成手順と、
前記信号生成手順により生成された各信号を重ね合わせて、周波数帯が異なる各信号により構成された合成信号を生成する合成信号生成手順と、
前記合成信号生成手順により生成された合成信号をデジタル信号に変換するデジタル変換手順
をコンピュータに実行させることを特徴とする受信プログラム。
【請求項７】
周波数帯が異なる複数の無線信号を同時に受信して、当該無線信号にそれぞれ含まれている情報を同時に復調する受信方法であって、
前記複数の無線信号を当該無線信号ごとに異なる周波数帯に周波数変換して、当該無線信号に含まれている情報をそれぞれ復調するための信号を当該無線信号ごとに生成する信号生成ステップと、
前記信号生成ステップにより生成された各信号を重ね合わせて、周波数帯が異なる各信号により構成された合成信号を生成する合成信号生成ステップと、
前記合成信号生成ステップにより生成された合成信号をデジタル信号に変換するデジタル変換ステップと、
を含んだことを特徴とする受信方法。
【請求項８】
周波数帯が異なる複数の無線信号を同時に受信して、当該無線信号にそれぞれ含まれている情報を同時に復調する受信装置に含まれる受信回路であって、
前記複数の無線信号を当該無線信号ごとに異なる周波数帯に周波数変換して、当該無線信号に含まれている情報をそれぞれ復調するための信号を当該無線信号ごとに生成する信号生成部と、
前記信号生成部により生成された各信号を重ね合わせて、周波数帯が異なる各信号により構成された合成信号を生成する合成信号生成部と、
を有することを特徴とする受信回路。
【発明の詳細な説明】
【技術分野】
【０００１】
この発明は、受信装置、受信プログラム、受信方法および受信回路に関する。
【背景技術】
【０００２】
従来より、通信システム（例えば、Ｗ−ＣＤＭＡ（Wideband Code Division Multiple Access）やＧＳＭ（Global System for Mobile Communication））による無線信号を受信する受信装置がある（特許文献１および特許文献２参照）。そして、近年の３Ｇ方式（3rd Generation）によって通信を行う携帯電話の普及により、異なる通信システムによる各無線信号を同時に受信する受信装置が開発されている。
【０００３】
この異なる通信システムによって発信された各無線信号を同時に受信する受信装置は、無線信号を復調するための中間信号（ＩＦ（Intermediate Frequency））を無線信号から生成する中間信号生成部と、中間信号生成部によって生成された中間信号をデジタル信号に変換するアナログデジタル変換部と、アナログデジタル変換部によってデジタル信号に変換された中間信号を復調する復調部とからなる受信システムを通信システムごとに備えることで異なる通信システムによって発信された各無線信号の同時受信を実現している。
【０００４】
【特許文献１】特表２００４−５１５１０４号公報
【特許文献２】国際公開第０２／４３２５９号パンフレット
【発明の開示】
【発明が解決しようとする課題】
【０００５】
ところで、上記した従来の技術は、アナログデジタル変換部を通信システムごとに備える必要があるので、消費電力を減少させることができないという課題があった。すなわち、仮に、消費電力を減少させる目的で各通信システムの中間信号をデジタル信号に変換するアナログデジタル変換部を統合した場合には、デジタル信号に変換された各中間信号の周波数帯が重なってしまうので、通信システムごとに各無線信号を復調するためには、アナログデジタル変換部を通信システムごとに備える必要があった。このようなことから、従来の技術は、各通信システムに対応するアナログデジタル変換部を統合した単一のアナログデジタル変換部として受信装置を構成できないので、消費電力を減少させることができないという課題があった。
【０００６】
そこで、この発明は、上述した従来技術の課題を解決するためになされたものであり、アナログデジタル変換部を統合することで、消費電力を減少することが可能な受信装置、受信プログラム、受信方法および受信回路を提供することを目的とする。
【課題を解決するための手段】
【０００７】
上述した課題を解決し、目的を達成するため、本発明は、周波数帯が異なる複数の無線信号を同時に受信して、当該無線信号にそれぞれ含まれている情報を同時に復調する受信装置であって、前記複数の無線信号を当該無線信号ごとに異なる周波数帯に周波数変換して、当該無線信号に含まれている情報をそれぞれ復調するための信号を当該無線信号ごとに生成する信号生成部と、前記信号生成部により生成された各信号を重ね合わせて、周波数帯が異なる各信号により構成された合成信号を生成する合成信号生成部と、前記合成信号生成部により生成された合成信号をデジタル信号に変換するデジタル変換部とを備えたことを特徴とする。
【０００８】
また、本発明は、周波数帯が異なる複数の無線信号を同時に受信して、当該無線信号にそれぞれ含まれている情報を同時に復調する受信装置における処理をコンピュータに実行させる受信プログラムであって、前記複数の無線信号を当該無線信号ごとに異なる周波数帯に周波数変換して、当該無線信号に含まれている情報をそれぞれ復調するための信号を当該無線信号ごとに生成する信号生成手順と、前記信号生成手順により生成された各信号を重ね合わせて、周波数帯が異なる各信号により構成された合成信号を生成する合成信号生成手順と、前記合成信号生成手順により生成された合成信号をデジタル信号に変換するデジタル変換手順とをコンピュータに実行させることを特徴とする。
【０００９】
また、本発明は、周波数帯が異なる複数の無線信号を同時に受信して、当該無線信号にそれぞれ含まれている情報を同時に復調する受信方法であって、前記複数の無線信号を当該無線信号ごとに異なる周波数帯に周波数変換して、当該無線信号に含まれている情報をそれぞれ復調するための信号を当該無線信号ごとに生成する信号生成ステップと、前記信号生成ステップにより生成された各信号を重ね合わせて、周波数帯が異なる各信号により構成された合成信号を生成する合成信号生成ステップと、前記合成信号生成ステップにより生成された合成信号をデジタル信号に変換するデジタル変換ステップとを含んだことを特徴とする。
【００１０】
また、本発明は、周波数帯が異なる複数の無線信号を同時に受信して、当該無線信号にそれぞれ含まれている情報を同時に復調する受信装置に含まれる受信制御回路であって、前記複数の無線信号を当該無線信号ごとに異なる周波数帯に周波数変換して、当該無線信号に含まれている情報をそれぞれ復調するための信号を当該無線信号ごとに生成する信号生成部と、前記信号生成部により生成された各信号を重ね合わせて、周波数帯が異なる各信号により構成された合成信号を生成する合成信号生成部とを有することを特徴とする。
【発明の効果】
【００１１】
本発明によれば、アナログデジタル変換部を統合することで、消費電力を減少することが可能である。例えば、本発明を携帯電話に適用した場合には、周波数帯が異なる複数の無線信号を同時に受信して、無線信号にそれぞれ含まれている情報を同時に復調することができ、さらに、携帯電話のバッテリー消費を減少することが可能である。
【発明を実施するための最良の形態】
【００１２】
以下に添付図面を参照して、この発明に係る受信装置、受信プログラム、受信方法および受信回路の実施例を詳細に説明する。なお、以下では、この発明が搭載された受信装置（例えば、携帯電話などの受信した無線信号を復調する受信装置）を実施例として説明する。
【実施例１】
【００１３】
以下の実施例１では、実施例１に係る受信装置の概要および特徴、受信装置の構成、受信装置の処理の流れを順に説明し、最後に実施例１による効果を説明する。
【００１４】
［実施例１に係る受信装置の概要および特徴］
まず最初に、図１を用いて実施例１に係る受信装置の概要および特徴を説明する。図１は、実施例１に係る受信装置の概要および特徴を説明するための図である。
【００１５】
実施例１に係る受信装置は、周波数帯が異なる複数の無線信号を同時に受信して、無線信号にそれぞれ含まれている情報を同時に復調することを概要とし、アナログデジタル変換部を統合して、消費電力を減少することを主たる特徴とする。
【００１６】
この主たる特徴について具体的に説明すると、実施例１に係る受信装置は、図１の（１）に示すように、アンテナを介して周波数帯の異なる複数の無線信号（例えば、Ｗ−ＣＤＭＡ方式による無線信号（以下、Ｗ−ＣＤＭＡ信号と表す）やＧＳＭ方式による無線信号（以下、ＧＳＭ信号と表す））を同時に受信する。
【００１７】
次に、信号生成部は、複数の無線信号を無線信号ごとに異なる周波数帯に周波数変換して、無線信号に含まれている情報をそれぞれ復調するための信号を無線信号ごとに生成する。具体的には、信号生成部は、周波数帯が異なるＷ−ＣＤＭＡ信号と、ＧＳＭ信号とを受け付けた場合に、Ｗ−ＣＤＭＡ信号から所定の周波数帯でＷ−ＣＤＭＡ信号の中間信号を生成し（図１の（２−１）参照）、Ｗ−ＣＤＭＡ信号の中間信号とは異なる周波数帯でＧＳＭ信号からＧＳＭ信号の中間信号を生成する（図１の（２−２）参照）。
【００１８】
次に、合成信号生成部は、信号生成部により生成された各信号を重ね合わせて、周波数帯が異なる各信号により構成された合成信号を生成する。具体的には、合成信号生成部は、Ｗ−ＣＤＭＡ信号の中間信号とＧＳＭ信号の中間信号とを重ね合わせて合成信号を生成する（図１の（３）参照）。
【００１９】
そして、アナログデジタル変換部は、合成信号生成部により生成された合成信号をデジタル信号に変換する。このアナログデジタル変換部では、Ｗ−ＣＤＭＡ信号の中間信号の周波数帯と、ＧＳＭ信号の中間信号の周波数帯とが重なっていない状態で生成された合成信号のそれぞれをデジタル信号に変換するので、Ｗ−ＣＤＭＡ信号と、ＧＳＭ信号とを復調することが可能な状態で合成信号をデジタル信号に変換することができる。
【００２０】
このようなことから、実施例１に係る受信装置は、上記した主たる特徴のごとく、アナログデジタル変換部を統合して、消費電力を減少することが可能である。
【００２１】
［実施例１に係る受信装置の構成］
次に、図２を用いて、図１に示した受信装置の構成を説明する。図２は、実施例１に係る受信装置の構成を示すブロック図である。図２に示すように、この受信装置１０は、アンテナ１１と、ＬＮＡ（Low Noise Amp）１２と、信号生成部１３と、合成信号生成部１４と、アナログデジタル変換部１５と、変換部１６と、Ｗ−ＣＤＭＡ信号復調部１７と、ＧＳＭ信号復調部１８とを備える。
【００２２】
なお、信号生成部１３は、請求の範囲に記載の「信号生成部」に対応し、合成信号生成部１４は、請求の範囲に記載の「合成信号生成部」に対応し、アナログデジタル変換部１５は、請求の範囲に記載の「デジタル変換部」に対応する。
【００２３】
このうち、アンテナ１１は、無線信号（例えば、電波など）を受信する。具体的には、アンテナ１１は、基地局などから発信されたＷ−ＣＤＭＡ信号やＧＳＭ信号を同時に受信する。
【００２４】
ＬＮＡ１２は、アンテナ１１を介して受信した無線信号を増幅する。具体的には、ＬＮＡ１２は、アンテナ１１を介して受信した無線信号を、復調可能な出力レベルになるまで増幅する。
【００２５】
信号生成部１３は、Ｗ−ＣＤＭＡ中間信号生成部１３ａと、ＧＳＭ中間信号生成部１３ｂとを備え、複数の無線信号を無線信号ごとに異なる周波数帯に周波数変換して、無線信号に含まれている情報をそれぞれ復調するための信号を無線信号ごとに生成する。
【００２６】
Ｗ−ＣＤＭＡ中間信号生成部１３ａは、ゼロＩＦ方式周波数変換部１３ｃと、ＬＰＦ（Low Pass Filter）１３ｄと、ＤＣ（直流成分）オフセットキャンセラー１３ｅとから構成され、アンテナ１１によって受信され、ＬＮＡ１２によって増幅されたＷ−ＣＤＭＡ信号からＷ−ＣＤＭＡ信号の中間信号を生成する。
【００２７】
具体的には、Ｗ−ＣＤＭＡ中間信号生成部１３ａは、ＬＮＡ１２が増幅したＷ−ＣＤＭＡ信号を受け付けた場合に、Ｗ−ＣＤＭＡ信号をゼロＩＦ方式周波数変換部１３ｃによって、ゼロＩＦ方式で周波数変換した後に、ＬＰＦ１３ｄと、ＤＣオフセットキャンセラー１３ｅとを通過させてＷ−ＣＤＭＡ信号の中間信号を生成する。
【００２８】
ここで、ＬＰＦ１３ｄとは、周波数変換されたＷ−ＣＤＭＡ信号における所定の周波数未満の周波数帯の信号を切り出すためのフィルタであり、ＤＣオフセットキャンセラー１３ｅとは、ゼロＩＦ方式によって周波数変換した際に発生する不要な信号であるＤＣ成分を取り除くためのフィルタである。
【００２９】
ＧＳＭ中間信号生成部１３ｂは、低ＩＦ方式周波数変換部１３ｆと、ＢＰＦ（Band Pass Filter）１３ｇとから構成され、アンテナ１１によって受信され、ＬＮＡ１２によって増幅されたＧＳＭ信号からＧＳＭ信号の中間信号を生成する。
【００３０】
具体的には、ＧＳＭ中間信号生成部１３ｂは、ＬＮＡ１２が増幅したＧＳＭ信号を受け付けた場合に、ＧＳＭ信号を低ＩＦ方式周波数変換部１３ｆによって、低ＩＦ方式で周波数変換した後に、ＢＰＦ１３ｇを通過させてＧＳＭ信号の中間信号を生成する。
【００３１】
ここで、ＢＰＦ１３ｇとは、周波数変換されたＧＳＭ信号における所定の周波数以上の周波数帯の信号を切り出すためのフィルタである。また、低ＩＦ方式による周波数変換で発生するイメージ成分については、ダブルバランスミキサー（図指しない）を用いて周波数変換を行い、変換後の周波数と、その周波数を９０°位相させた成分とを合成することにより除去を行うものとする。
【００３２】
なお、信号生成部１３がアンテナ１１を介してＷ−ＣＤＭＡ信号とＧＳＭ信号とを同時に受け付けた場合には、Ｗ−ＣＤＭＡ中間信号生成部１３ａおよびＧＳＭ中間信号生成部１３ｂによる各中間信号の生成は、同時に行われるものとする。
【００３３】
このようにして、信号生成部１３は、所定の周波数未満の周波数帯の信号を切り出すことで、周波数変換されたＷ−ＣＤＭＡ信号からＧＳＭ信号の中間信号と重なる周波数帯について除去し、所定の周波数以上の周波数帯の信号を切り出すことで、周波数変換されたＧＳＭ信号からＷ−ＣＤＭＡ信号の中間信号と重なる周波数帯について除去して、Ｗ−ＣＤＭＡ中間信号生成部１３ａによって生成されたＷ−ＣＤＭＡ信号の中間信号と、ＧＳＭ中間信号生成部１３ｂによって生成されたＧＳＭ信号の中間信号とを異なる周波数帯で生成する。
【００３４】
ここで、上記の例では、Ｗ−ＣＤＭＡ中間信号生成部１３ａがゼロＩＦ方式で周波数変換して、Ｗ−ＣＤＭＡ信号の中間信号を生成し、ＧＳＭ中間信号生成部１３ｂが低ＩＦ方式で周波数変換して、ＧＳＭ信号の中間信号を生成する場合を説明したが、本発明はこれに限定されるものではなく、Ｗ−ＣＤＭＡ中間信号生成部１３ａが低ＩＦ方式で周波数変換して、Ｗ−ＣＤＭＡ信号の中間信号を生成し、ＧＳＭ中間信号生成部１３ｂがゼロＩＦ方式で周波数変換して、ＧＳＭ信号の中間信号を生成するようにしてもよい。
【００３５】
合成信号生成部１４は、信号生成部１３により生成された各信号を重ね合わせて、周波数帯が異なる各信号により構成された合成信号を生成する。具体的には、合成信号生成部１４は、信号生成部１３により、Ｗ−ＣＤＭＡ信号の中間信号およびＧＳＭ信号の中間信号が同時に生成された場合に、Ｗ−ＣＤＭＡ信号の中間信号およびＧＳＭ信号の中間信号を重ね合わせて、Ｗ−ＣＤＭＡ信号の中間信号の周波数帯と、ＧＳＭ信号の中間信号の周波数帯とが重なっていない合成信号を生成する。
【００３６】
アナログデジタル変換部１５は、合成信号生成部１４により生成された合成信号をデジタル信号に変換する。具体的には、アナログデジタル変換部１５は、Ｗ−ＣＤＭＡ信号の中間信号の周波数帯と、ＧＳＭ信号の中間信号の周波数帯とが重なっていない合成信号を合成信号生成部１４から受け付け、各中間信号の周波数を変換することなく合成信号をデジタルに変換する。
【００３７】
変換部１６は、アナログデジタル変換部１５によりデジタル信号に変換された合成信号を周波数帯ごとに区分して、区分された各信号を低周波に変換する。具体的には、変換部１６は、デジタル信号に変換されたＷ−ＣＤＭＡ信号の中間信号をＷ−ＣＤＭＡ信号復調部１７における復調処理に必要なサンプリング周波数にダウンサンプリングするデシメーションフィルタ１６ａと、デジタル信号に変換されたＧＳＭ信号の中間信号をＧＳＭ信号復調部１８における復調処理に必要なサンプリング周波数にダウンサンプリングするデシメーションフィルタ１６ｂとを備える。なお、デシメーションフィルタ１６ａおよびデシメーションフィルタ１６ｂにおける処理は、同時に行われるものとする。
【００３８】
そして、変換部１６は、例えば、所定の周波数以上の周波数帯と、所定の周波数未満の周波数帯とに切り分けるためのフィルタを用いて、アナログデジタル変換部１５から受け付けたデジタル信号に変換された合成信号をデジタル信号に変換されたＷ−ＣＤＭＡ信号の中間信号と、デジタル信号に変換されたＧＳＭ信号の中間信号とに切り分ける。
【００３９】
次に、デシメーションフィルタ１６ａは、切り分けられた信号の中で、デジタル信号に変換されたＷ−ＣＤＭＡ信号の中間信号についてダウンサンプリングし、デシメーションフィルタ１６ｂは、切り分けられた信号の中で、デジタル信号に変換されたＧＳＭ信号の中間信号についてダウンサンプリングする。
【００４０】
ここで、ダウンサンプリングとは、デジタル信号に変換された中間信号の周波数を、低周波数に変換することで、Ｗ−ＣＤＭＡ信号復調部１７またはＧＳＭ信号復調部１８における復調処理に必要な消費電力を減少させる処理である。
【００４１】
すなわち、実施例１では、Ｗ−ＣＤＭＡ信号の中間信号と周波数帯が重ならないようにＧＳＭ信号の中間信号を所定の周波数以上の周波数帯に切り出しているが、アナログデジタル変換部１５によりデジタル信号に変換された後にＧＳＭ信号の中間信号の周波数を低周波数に変換することで、ＧＳＭ信号復調部１８に入力される信号の情報量を減少して、ＧＳＭ信号復調部１８におけるＧＳＭ信号の復調処理にかかる消費電力を減少させる趣旨である。
【００４２】
Ｗ−ＣＤＭＡ信号復調部１７は、Ｗ−ＣＤＭＡ信号を復調する。具体的には、Ｗ−ＣＤＭＡ信号復調部１７は、デシメーションフィルタ１６ａからデジタル信号に変換されたＷ−ＣＤＭＡ信号の中間信号を受け付け、例えば、音声信号に復調して、所定の出力部（例えば、スピーカーなど）を介して出力する。
【００４３】
ＧＳＭ信号復調部１８は、ＧＳＭ信号を復調する。具体的には、ＧＳＭ信号復調部１８は、Ｗ−ＣＤＭＡ信号復調部１７と同様にして、ＧＳＭ信号について復調処理を実行する。
【００４４】
［実施例１に係る受信装置による処理］
次に、図３を用いて、受信装置による処理を説明する。図３は、実施例１に係る受信装置による処理の流れを示すフローチャートである。同図に示すように、アンテナ１１によって無線信号を受信すると（ステップＳ１００１肯定）、ＬＮＡ１２は、受信した無線信号を増幅する（ステップＳ１００２）。
【００４５】
続いて、信号生成部１３は、中間信号を生成する（ステップＳ１００３）。具体的には、Ｗ−ＣＤＭＡ中間信号生成部１３ａは、ＬＮＡ１２が増幅したＷ−ＣＤＭＡ信号からＷ−ＣＤＭＡ信号の中間信号を生成し、ＧＳＭ中間信号生成部１３ｂは、ＬＮＡ１２が増幅したＧＳＭ信号からＧＳＭ信号の中間信号を生成する。
【００４６】
続いて、合成信号生成部１４は、Ｗ−ＣＤＭＡ信号の中間信号およびＧＳＭ信号の中間信号を重ね合わせて、合成信号を生成し（ステップＳ１００４）、続いて、アナログデジタル変換部１５は、合成信号をデジタル信号に変換する（ステップＳ１００５）。
【００４７】
続いて、変換部１６は、デジタル信号に変換された合成信号を周波数帯ごとに区分して、区分された各信号をダウンサンプリングする（ステップＳ１００６）。具体的には、デシメーションフィルタ１６ａは、切り分けられた信号の中で、デジタル信号に変換されたＷ−ＣＤＭＡ信号の中間信号についてダウンサンプリングし、デシメーションフィルタ１６ｂは、切り分けられた信号の中で、デジタル信号に変換されたＧＳＭ信号の中間信号についてダウンサンプリングする。
【００４８】
そして、各復調部は、デジタル信号に変換された各中間信号を復調して（ステップＳ１００７）、処理を終了する。具体的には、Ｗ−ＣＤＭＡ信号復調部１７は、Ｗ−ＣＤＭＡ信号を復調し、ＧＳＭ信号復調部１８は、ＧＳＭ信号を復調する。
【００４９】
［実施例１による効果］
上記したように、実施例１によれば、複数の無線信号を無線信号ごとに異なる周波数帯に周波数変換して、無線信号ごとに中間信号を生成し、中間信号を重ね合わせて、周波数帯が異なる各信号により構成された合成信号を生成し、合成信号をデジタル信号に変換するので、アナログデジタル変換部を統合することで、消費電力を減少することが可能である。
【００５０】
また、実施例１によれば、周波数帯が異なる２つの無線信号を受信した場合に、一方の無線信号をゼロＩＦ方式によって周波数変換した後に、ＬＰＦを通過させて信号を生成し、他方の無線信号を低ＩＦ方式によって周波数変換した後に、ＢＰＦを通過させて中間信号を生成するので、一方の無線信号がゼロＩＦ方式によって周波数変換して生成された中間信号よりも高い周波数帯に低ＩＦ方式で周波数変換して、他方の無線信号の中間信号を生成する結果、アナログデジタル変換部を統合することが可能である。
【００５１】
また、実施例１によれば、アナログデジタル変換部によりデジタル信号に変換された合成信号を周波数帯ごとに区分して、区分された各信号を低周波に変換するので、各復調部における消費電力を減少することが可能である。
【実施例２】
【００５２】
ところで、上記の実施例１では、ＬＰＦおよびＢＰＦを用いて各中間信号を生成する場合を説明したが、本発明はこれに限定されるものではなく、異なる周波数帯に切り分けることが可能な２枚のＢＰＦを用いて各中間信号を生成しても良い。そこで、以下の実施例２では、実施例２に係る中継装置の構成を説明した後、実施例２による効果を説明する。
【００５３】
［実施例２に係る受信装置の構成］
まず、図４を用いて実施例２に係る受信装置の構成を説明する。図４は、実施例２に係る受信装置の構成を示すブロック図である。ここで、実施例２に係る受信装置は、実施例１に係る受信装置１０と基本的には同様の構成であるが、以下に説明する点が異なる。
【００５４】
すなわち、信号生成部１３は、周波数帯が異なる２つの無線信号を受信した場合に、一方の無線信号を低ＩＦ方式によって周波数変換した後に、所定の周波数帯を切り出すＢＰＦを通過させて中間信号を生成し、他方の無線信号を低ＩＦ方式によって周波数変換した後に、所定の周波数帯とは異なる周波数帯の信号を切り出すためのＢＰＦを通過させて前記信号を生成する。
【００５５】
具体的には、信号生成部１３におけるＷ−ＣＤＭＡ中間信号生成部１３ａは、低ＩＦ方式周波数変換部１３ｆと、ＢＰＦ１３ｈとから構成され、ＧＳＭ中間信号生成部１３ｂは、低ＩＦ方式周波数変換部１３ｆと、ＢＰＦ１３ｉとから構成される。そして、Ｗ−ＣＤＭＡ中間信号生成部１３ａおよびＧＳＭ中間信号生成部１３ｂは、実施例１に係るＧＳＭ中間信号生成部１３ｂによる処理と同様の処理によって、各中間信号を生成する。
【００５６】
ここで、Ｗ−ＣＤＭＡ中間信号生成部１３ａにおけるＢＰＦ１３ｈと、ＧＳＭ中間信号生成部１３ｂにおけるＢＰＦ１３ｉとは、切り出す周波数帯の信号が異なるため、信号生成部１３は、Ｗ−ＣＤＭＡ信号の中間信号とＧＳＭ信号の中間信号とを異なる周波数帯で生成する。つまり、合成信号生成部１４、アナログデジタル変換部１５および変換部１６における各処理において、Ｗ−ＣＤＭＡ信号の周波数帯と、ＧＳＭ信号の周波数帯とが重なることなく各処理を実行することができる。
【００５７】
［実施例２による効果］
上記したように、実施例２によれば、周波数帯が異なる２つの無線信号を受信した場合に、一方の無線信号を低ＩＦ方式によって周波数変換した後に、所定の周波数帯を切り出すＢＰＦを通過させて中間信号を生成し、他方の無線信号を低ＩＦ方式によって周波数変換した後に、所定の周波数帯とは異なる周波数帯の信号を切り出すためのＢＰＦを通過させて信号を生成するので、低ＩＦ方式によって周波数変換された各中間信号を異なる周波数帯で生成する結果、アナログデジタル変換部を統合することが可能である。
【実施例３】
【００５８】
ところで、従来より、所定の通信システムによって発信された無線信号の受信状況を改善することを目的として、同一の通信システムに係る中間信号生成部と、アナログデジタル変換部と、復調部とをそれぞれ複数にわたって備え、同一の通信システムに係る無線信号を同時に受信する受信装置、いわゆるダイバーシチ受信装置がある。そこで、実施例３では、Ｗ−ＣＤＭＡ信号を同時に受信するダイバーシチ受信装置（以下、単に受信装置と表す）に本発明を適用した例として、実施例３に係る中継装置の構成および受信装置の処理の流れを説明した後、実施例３による効果を説明する。
【００５９】
［実施例３に係る受信装置の構成］
まず、図５を用いて、実施例３に係る受信装置の構成を説明する。図５は、実施例３に係る受信装置の構成を示すブロック図である。ここで、実施例３に係る受信装置１０は、実施例１に係る受信装置１０と基本的には同様の構成であるが、以下に説明する点が異なる。
【００６０】
すなわち、図５に示すように、実施例３に係る受信装置１０は、アンテナ１１ａ、ｂと、ＬＮＡ１２ａ、ｂと、信号生成部１３と、合成信号生成部１４と、アナログデジタル変換部１５ａ、ｂと、変換部１６と、Ｗ−ＣＤＭＡ信号復調部１７ａ、ｂと、ＧＳＭ信号復調部１８とを備える。なお、計測部１３ｋは、請求の範囲に記載の「計測部」に対応し、周波数変換部１３ｌは、請求の範囲に記載の「信号生成部」に対応する。
【００６１】
アンテナ１１ａ、ｂは、実施例１に係るアンテナ１１と同様の構成であり、ＬＮＡ１２ａ、ｂは、実施例１に係るＬＮＡ１２と同様の構成であり、Ｗ−ＣＤＭＡ信号復調部１７ａ、ｂは、実施例１に係るＷ−ＣＤＭＡ信号復調部１７と同様の構成である。
【００６２】
信号生成部１３は、Ｗ−ＣＤＭＡ中間信号生成部１３ａと、切替式中間信号生成部１３ｊとを備える。このうち、Ｗ−ＣＤＭＡ中間信号生成部１３ａは、実施例１と同様に、アンテナ１１ａによって受信され、ＬＮＡ１２ａによって増幅されたＷ−ＣＤＭＡ信号からＷ−ＣＤＭＡ信号の中間信号を生成する。
【００６３】
切替式中間信号生成部１３ｊは、計測部１３ｋと、周波数変換部１３ｌと、ＢＰＦ１３ｍと、ＬＰＦ１３ｎと、ＤＣオフセットキャンセラー１３ｏとを備える。このうち、ＢＰＦ１３ｍは、実施例１に係るＢＰＦ１３ｇと同様の構成であり、ＬＰＦ１３ｎは、実施例１に係るＬＰＦ１３ｄと同様の構成であり、ＤＣオフセットキャンセラー１３ｏは、実施例１に係るＤＣオフセットキャンセラー１３ｅと同様の構成である。
【００６４】
計測部１３ｋは、複数の無線信号の各強度を測定する。具体的には、計測部１３ｋは、アンテナ１１ａによって受信され、ＬＮＡ１２ａによって増幅されたＷ−ＣＤＭＡ信号およびＧＳＭ信号の各強度を測定し、Ｗ−ＣＤＭＡ信号とＧＳＭ信号のうち、いずれの強度が高いかを判定する。
【００６５】
周波数変換部１３ｌは、計測部１３ｋによる判定結果に基づいて、Ｗ−ＣＤＭＡ信号からＷ−ＣＤＭＡ信号の中間信号を生成するか、もしくはＧＳＭ信号からＧＳＭ信号の中間信号を生成する。
【００６６】
具体的には、周波数変換部１３ｌは、計測部１３ｋによって、ＧＳＭ信号の強度がＷ−ＣＤＭＡ信号の強度よりも強いと判定された場合には、アンテナ１１ｂによって受信され、ＬＮＡ１２ｂによって増幅されたＧＳＭ信号からＧＳＭ信号の中間信号を生成する。詳細には、ＧＳＭ信号を低ＩＦ方式周波数変換部１３ｆによって、低ＩＦ方式で周波数変換した後に、ＢＰＦ１３ｍを通過させてＧＳＭ信号の中間信号を生成する。その後、周波数変換部１３ｌによって生成されたＧＳＭ信号の中間信号は、実施例１と同様に、合成信号生成部１４、アナログデジタル変換部１５ａ、デシメーションフィルタ１６ｂおよびＧＳＭ信号復調部１８を介して復調処理されるものとする。
【００６７】
一方では、周波数変換部１３ｌは、計測部１３ｋによって、Ｗ−ＣＤＭＡ信号の強度がＧＳＭ信号の強度よりも強いと判定された場合には、アンテナ１１ｂによって受信され、ＬＮＡ１２ｂによって増幅されたＷ−ＣＤＭＡ信号からＷ−ＣＤＭＡ信号の中間信号を生成する。詳細には、Ｗ−ＣＤＭＡ信号をゼロＩＦ方式で周波数変換した後に、ＬＰＦ１３ｎと、ＤＣオフセットキャンセラー１３ｏとを通過させてＷ−ＣＤＭＡ信号の中間信号を生成する。その後、周波数変換部１３ｌによって生成されたＷ−ＣＤＭＡ信号の中間信号は、アナログデジタル変換部１５ｂと、Ｗ−ＣＤＭＡ信号復調部１７ｂとを介して復調処理されるものとする。
【００６８】
つまり、切替式中間信号生成部１３ｊは、計測部１３ｋによって、ＧＳＭ信号の強度がＷ−ＣＤＭＡ信号の強度よりも強いと判定された場合に、単一のアナログデジタル変換部１５ａによって、Ｗ−ＣＤＭＡ信号の中間信号と、ＧＳＭ信号の中間信号とをデジタル信号に変換させることで、消費電力を減少する趣旨である。
【００６９】
［実施例３に係る受信装置による処理］
次に、図６を用いて、実施例３に係る受信装置による処理を説明する。図６は、実施例３に係る受信装置による処理の流れを示すフローチャートである。ここでは、アンテナ１１ｂによってＷ−ＣＤＭＡ信号およびＧＳＭ信号が同時に受信され、ＬＮＡ１２ｂによって増幅されたＷ−ＣＤＭＡ信号およびＧＳＭ信号を受け付けた場合の切替式中間信号生成部１３ｊによる処理を説明する。
【００７０】
同図に示すように、計測部１３ｋは、アンテナ１１ｂによって受信され、ＬＮＡ１２ｂによって増幅されたＷ−ＣＤＭＡ信号およびＧＳＭ信号を受け付けると（ステップＳ２００１肯定）、Ｗ−ＣＤＭＡ信号およびＧＳＭ信号の各強度を測定し、Ｗ−ＣＤＭＡ信号とＧＳＭ信号のいずれの強度が高いかを判定する（ステップＳ２００２）。
【００７１】
ここで、計測部１３ｋによってＧＳＭ信号の強度がＷ−ＣＤＭＡ信号の強度よりも強いと判定された場合に（ステップＳ２００２肯定）、周波数変換部１３ｌは、ＧＳＭ信号を低ＩＦ方式周波数変換部１３ｆによって、低ＩＦ方式で周波数変換した後に、ＢＰＦ１３ｍを通過させてＧＳＭ信号の中間信号を生成し（ステップＳ２００３）、切替式中間信号生成部１３ｊによる処理を終了する。
【００７２】
一方では、計測部１３ｋによって、Ｗ−ＣＤＭＡ信号の強度がＧＳＭ信号の強度よりも強いと判定された場合に（ステップＳ２００２否定）、周波数変換部１３ｌは、Ｗ−ＣＤＭＡ信号をゼロＩＦ方式で周波数変換した後に、ＬＰＦ１３ｎと、ＤＣオフセットキャンセラー１３ｏとを通過させてＷ−ＣＤＭＡ信号の中間信号を生成し（ステップＳ２００４）、切替式中間信号生成部１３ｊによる処理を終了する。
【００７３】
また、計測部での無線信号測定結果によらず、強制的にＧＳＭ信号もしくは、Ｗ−ＣＤＭＡ信号を選択可能とする。
【００７４】
［実施例３による効果］
上記したように、実施例３によれば、複数の無線信号の各強度を測定し、複数の無線信号の中で強度の高い無線信号について中間信号を生成するので、ダイバーシチ受信装置において、周波数帯が異なる２つの無線信号を受信した場合に、アナログデジタル変換部の消費電力を減少することが可能である。
【実施例４】
【００７５】
さて、これまで実施例１〜３について説明したが、本発明は上述した実施例以外にも、種々の異なる形態にて実施されてよいものである。そこで、以下では、実施例４として、他の実施例を説明する。
【００７６】
本実施例において説明した各処理のうち、上記文書中や図面中で示した処理手順、制御手順、具体的名称や各種のデータを含む情報については、特記する場合を除いて任意に変更することができる。
【００７７】
また、図２、図４、図５に示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図２において、ＬＰＦ１３ｄと、ＤＣオフセットキャンセラー１３ｅとを統合することや、図４において、合成信号生成部１４と、アナログデジタル変換部１５とを統合することや、図５において、計測部１３ｋと周波数変換部１３ｌとを統合することができる。
【００７８】
さらに、各装置にて行なわれる各処理機能は、その全部または任意の一部が、ＣＰＵやＭＣＵ（Micro Controller Unit）、ＭＰＵ（Micro Processing Unit）およびＣＰＵ、ＭＣＵ、ＭＰＵにて解析実行されるプログラムにて実現され、あるいは、ワイヤードロジックによるハードウェアとして実現され得る。
【００７９】
なお、本実施例で説明した受信方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【００８０】
以上のように、本発明に係る受信装置、受信プログラム、受信方法および受信回路は、異なる通信システムによる各無線信号を同時に受信することに有用であり、特に、アナログデジタル変換部を統合することで、消費電力を減少することに適する。
【図面の簡単な説明】
【００８１】
【図１】実施例１に係る受信装置の概要および特徴を説明するための図である。
【図２】実施例１に係る受信装置の構成を示すブロック図である。
【図３】実施例１に係る受信装置による処理の流れを示すフローチャートである。
【図４】実施例２に係る受信装置の構成を示すブロック図である。
【図５】実施例３に係る受信装置の構成を示すブロック図である。
【図６】実施例３に係る受信装置による処理の流れを示すフローチャートである。
【符号の説明】
【００８２】
１０  受信装置
１１、１１ａ、１１ｂ  アンテナ
１２、１２ａ、１２ｂ  ＬＮＡ（Low Noise Amp）
１３  信号生成部
１３ａ  Ｗ−ＣＤＭＡ中間信号生成部
１３ｂ  ＧＳＭ中間信号生成部
１３ｃ  ゼロＩＦ方式周波数変換部
１３ｄ、１３ｎ  ＬＰＦ（Low Pass Filter）
１３ｅ、１３ｏ  ＤＣオフセットキャンセラー
１３ｆ  低ＩＦ方式周波数変換部
１３ｇ、１３ｈ、１３ｉ、１３ｍ  ＢＰＦ（Band Pass Filter）
１３ｊ  切替式中間信号生成部
１３ｋ  計測部
１３ｌ  周波数変換部
１４  合成信号生成部
１５、１５ａ、１５ｂ  アナログデジタル変換部
１６  変換部
１６ａ、１６ｂ  デシメーションフィルタ
１７、１７ａ、１７ｂ  Ｗ−ＣＤＭＡ信号復調部
１８  ＧＳＭ信号復調部
【図１】
2009049605.tif 000003
【図２】
2009049605.tif 000004
【図３】
2009049605.tif 000005
【図４】
2009049605.tif 000006
【図５】
2009049605.tif 000007
【図６】
2009049605.tif 000008